(57)【要約】    【課題】  施工性に優れ、側壁部材と頂版部との連結箇所の強度に優れたコンクリート組立構造体を提供する。    【解決手段】  側壁部材２は自立脚部12を一体に有する。側壁部材２，２の上部間型枠部材４に掛け渡し、この型枠部材４にコンクリートを打設して頂版部３を形成する。側壁部材２は自立脚部12を有するため、設置するだけで安定し、幅方向両側に側壁部材２，２を並べた後、これら側壁部材２，２の上部間に型枠部材４を掛け渡し、この型枠部材４の上にコンクリートを打設し、その型枠部材４を型枠及び足場して用いることができる。側壁部材２と打設コンクリート部５とを挿通する斜鉄筋51により、側壁部材２と頂版部３とを強固に一体化することができる。【選択図】      図１
2005061127.tif 000002
【特許請求の範囲】
【請求項１】
幅方向両側に設けられ下部に自立脚部を一体に有するプレキャストコンクリート製の側壁部材と、これら側壁部材の上部間に掛け渡されるプレキャストコンクリート製の型枠部材と、この型枠部材と該型枠部材上にコンクリートを打設して形成された打設コンクリート部とからなる頂版部とを備えたコンクリート組立構造体において、前記側壁部材と打設コンクリート部とを挿通する斜鉄筋を備えることを特徴とするコンクリート組立構造体。
【請求項２】
前記型枠部材の端面に、前記斜鉄筋に対応して挿通部を形成したことを特徴とする請求項１記載のコンクリート組立構造体。
【請求項３】
前記挿通部が型枠部材の端面に開口することを特徴とする請求項２記載のコンクリート組立構造体。
【請求項４】
前記側壁部材の上面にフック筋を設け、このフック筋は折り返し部を上にすると共に両端側を該側壁部材に埋設したことを特徴とする請求項１〜３のいずれか１項に記載のコンクリート組立構造体。
【請求項５】
前記側壁部材内と前記打設コンクリート部内とにそれぞれ定着板を設け、それら定着板に両端側を定着した鋼材を備え、この鋼材には緊張力が付与されていないことを特徴とする請求項１〜３のいずれか１項に記載のコンクリート組立構造体。
【請求項６】
前記側壁部材の上面から突出した鉄筋と、前記型枠部材の鉄筋とを連結したことを特徴とする請求項４又は５記載のコンクリート組立体。
【請求項７】
前記側壁部材の上面にフック筋を設け、このフック筋は折り返し部を上にすると共に両端側を該側壁部材に埋設し、前記フック筋と前記型枠部材の鉄筋とを連結したことを特徴とする請求項１記載のコンクリート組立構造体。
【発明の詳細な説明】
【技術分野】
【０００１】
本発明は、プレキャストコンクリート部材と現場打ちコンクリートとを組み合わせて構築され、ボックスカルバートや橋梁基礎などに用いることができるコンクリート組立構造体に関する。
【背景技術】
【０００２】
ボックスカルバートや橋梁基礎などのコンクリート構造体として、現場で型枠を組んでコンクリートを打設する現場施工によるもの、ボックス状に形成したプレキャスト製品を現場で組立てるもの、プレキャスト部材と現場打ちコンクリートとを組み合わせて構築するものなどがある。
【０００３】
上記プレキャスト部材と現場打ちコンクリートとを組み合わせて構築する組立構造物として、例えば、大型ボックスカルバート（例えば特許文献１）には、プレキャスト又は現場打床版上に、鉄筋組み立て用の通し鉄筋孔を有するベースブロック、及びＴ型プレキャストブロックを載置し、基礎底版用鉄筋、ポスト鉄筋、ポスト鉄筋位置決め材、及びスターラップ鉄筋、を配筋後コンクリートを打設して現場打基礎底版コンクリートを形成し、さらにＴ型プレキャストブロックを、順次積み重ねるとともに、前記Ｔ型プレキャストブロックの、控壁中空部より突出しているポスト鉄筋を延長して、Ｔ型プレキャストブロックの控壁部内に配筋し、胴込コンクリートの打設により側壁を形成するとともに、現場打基礎底版コンクリートと、Ｔ型プレキャストブロックとを完全に一体化させ更に、側壁最上部にはプレキャスト頂版と、側壁部を形成するＴ型プレキャストブロックとを、完全に一体化する為のプレキャスト受台ブロックを重設して、プレキャスト頂版を架設し、プレキャスト頂版の両端部から突出したアンカー鉄筋と、Ｔ型プレキャストブロックの控壁中空部、及びプレキャスト受台ブロックの中空部の、所定の位置に配列し突出した、ポスト鉄筋とを連結鉄筋で結合した後、コンクリートを打設して、側壁部と頂版部を完全に合成一体化して構築することが記載されている。
【０００４】
上記のような組立構造物では、プレキャスト部材を用いることにより現場での型枠組み作業が削減され、また、組立式であるため、一体型のものに比べて、運搬における車載寸法及び重量上の制約を受け難く、大型の構造物を現場で構築することができる。
【０００５】
しかし、上記組立構造物では、Ｔ型プレキャストブロックを、順次積み重ねるとともに、ポスト鉄筋を延長して、Ｔ型プレキャストブロックの控壁部内に配筋し、胴込コンクリートの打設により側壁を形成するとあるように、現場での側壁部分の施工が煩雑となり、また、プレキャスト頂版を用いているが、幅広な構造物の場合、頂版自体が長く重量も大となるため、据付などの作業が煩雑になることが予想され、幅広な構造物には不向きな面がある。
【０００６】
そこで、同一出願人は、幅方向両側に設けられ下部に自立脚部を一体に有するプレキャストコンクリート製の側壁部材と、これら側壁部材の上部間に掛け渡されるプレキャストコンクリート製の型枠部材と、この型枠部材と該型枠部材上にコンクリートを打設して形成された打設コンクリート部とからなる頂版部とを備えるコンクリート組立構造体（例えば特許文献２）を提案した。
【０００７】
まず、コンクリート組立構造体では、現場において、両側の側壁部材を配置し、この側壁部材は自立脚部を有するため、設置するだけで安定する。幅方向両側に側壁部材を並べた後、これら側壁部材の上部間に型枠部材を掛け渡し、この型枠部材の上にコンクリートを打設し、その型枠部材を型枠及び足場として用いることができるから、現場で型枠を組んだり足場を設けたりする必要がなく、かつプレキャスト製の型枠部材と現場打ちコンクリートの合成部材からなる頂版部を備え、比較的幅広な構造に適した組立構造物が得られる。
【０００８】
上記組立構造体では、側壁部材と頂版部との連結構造について、各種の構造が開示されており、打設コンクリート部により側壁部材と頂版部との一体化を図ることができる。そこで、さらに施工性に優れ、強度の高い側壁部材と頂版部との連結構造を得ることができれば、組立構造体の強度の向上と施工性の向上を図ることができる。
【特許文献１】実用新案登録第３０５１３５０号公報（公報第０００４段）
【特許文献２】特開２００３−１９３５４４号公報
【発明の開示】
【発明が解決しようとする課題】
【０００９】
そこで、本発明は、施工性に優れ、側壁部材と頂版部との連結箇所の強度に優れたコンクリート組立構造体を提供することを目的とする。
【課題を解決するための手段】
【００１０】
請求項１の発明は、幅方向両側に設けられ下部に自立脚部を一体に有するプレキャストコンクリート製の側壁部材と、これら側壁部材の上部間に掛け渡されるプレキャストコンクリート製の型枠部材と、この型枠部材と該型枠部材上にコンクリートを打設して形成された打設コンクリート部とからなる頂版部とを備えたコンクリート組立構造体において、前記側壁部材と打設コンクリート部とを挿通する斜鉄筋を備えるものである。
【００１１】
また、請求項２の発明は、前記型枠部材の端面に、前記斜鉄筋に対応して挿通部を形成したものである。
【００１２】
また、請求項３の発明は、前記挿通部が型枠部材の端面に開口するものである。
【００１３】
また、請求項４の発明は、前記側壁部材の上面にフック筋を設け、このフック筋は折り返し部を上にすると共に両端側を該側壁部材に埋設したものである。
【００１４】
また、請求項５の発明は、前記側壁部材内と前記打設コンクリート部内とにそれぞれ定着板を設け、それら定着板に両端側を定着した鋼材を備え、この鋼材には緊張力が付与されていないものである。
【００１５】
また、請求項６の発明は、前記側壁部材の上面から突出した鉄筋と、前記型枠部材の鉄筋とを連結したものである。
【００１６】
また、請求項７の発明は、前記側壁部材の上面にフック筋を設け、このフック筋は折り返し部を上にすると共に両端側を該側壁部材に埋設し、前記フック筋と前記型枠部材の鉄筋とを連結したものである。
【発明の効果】
【００１７】
請求項１のコンクリート組立構造体によれば、まず、現場において、両側の側壁部材を配置し、この側壁部材は自立脚部を有するため、設置するだけで安定する。幅方向両側に側壁部材を並べた後、これら側壁部材の上部間に型枠部材を掛け渡し、この型枠部材の上にコンクリートを打設し、その型枠部材を型枠及び足場として用いることができるから、現場で型枠を組んだり足場を設けたりする必要がなく、かつプレキャスト製の型枠部材と現場打ちコンクリートの合成部材からなる頂版部を備え、比較的幅広な構造に適した組立構造物が得られる。特に、側壁部材と打設コンクリート部とを挿通する斜鉄筋により、側壁部材と頂版部とを強固に一体化することができる。
【００１８】
また、請求項２のコンクリート組立構造体によれば、予め、側壁部材の上面に斜鉄筋を挿通固定しておき、幅方向両側に側壁部材を並べた後、これら側壁部材の上部間に型枠部材を掛け渡たす際、予め形成された挿通部に鉄筋を挿通して側壁部材に型枠部材を掛け渡すことができる。
【００１９】
また、請求項３のコンクリート組立構造体によれば、挿通部が切欠き部であるから、斜鉄筋を挿通する必要がなく、斜鉄筋位置に切欠き部を合わせることにより、簡便に側壁部材の上に型枠部材を掛け渡すことができる。
【００２０】
また、請求項４のコンクリート組立構造体によれば、側壁部材に埋設したフック筋が打設コンクリート部に埋設されることにより、側壁部材と打設コンクリート部とを効果的に一体化することができる。
【００２１】
また、請求項５のコンクリート組立構造体によれば、側壁部材と頂版部材との連結箇所に開く力が加わると、鋼材には緊張力が付与されていないから、該鋼材の引張応力が有効に作用するため、前記連結箇所での接合強度を高めることができる。
【００２２】
また、請求項６のコンクリート組立構造体によれば、側壁部材の鉄筋と型枠部材の鉄筋とを連結することにより、両者の接合高度が向上する。
【００２３】
また、請求項７のコンクリート組立構造体によれば、側壁部材のフック筋と型枠部材の鉄筋を連結することにより、両者の接合高度が向上する。
【発明を実施するための最良の形態】
【００２４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加したコンクリート組立構造体が得られ、そのコンクリート組立構造体を夫々記述する。
【実施例１】
【００２５】
以下、本発明の実施形態を添付面を参照して説明する。図１〜図６は、本発明の第１実施例を示し、図１に示すように、コンクリート組立構造体１は、幅方向左右に設けられた対をなすプレキャストコンクリート製の側壁部材２，２と、これら側壁部材２，２の上部に設けられた頂版部３とを備え、この頂版部３は側壁部材２，２の上部に掛け渡されたプレキャストコンクリート製の型枠部材４と、この型枠部材４上及び側壁部材２の上部にコンクリートを打設して形成した打設コンクリート部５からなる。尚、側壁部材２は構造物１の長さ方向に対して所定長さで形成されている。
【００２６】
前記側壁部材２は、縦壁部11の下部に横方向の自立脚部12を一体に備え、この自立脚部12は縦壁部11の内面側と外面側に突出した内張出し部12Ｕと外張出し部12Ｓとを有し、全体としてほぼ平板状をなし、内張出し部12Ｕを外張出し部12Ｓより幅方向に長く形成し、すなわち内張出し部12Ｕの構造物１の幅方向長さＬｕを外張出し部12Ｓの構造物幅方向長さＬｓより長く形成されている。また、自立脚部12の内端には下向き段部13が形成されている。
【００２７】
前記側壁部材２の上面14には、前記型枠部材４の幅方向端部の載置部４Ａが載置され、前記側壁部材２には前記載置部４Ａに対応して、内面側に突出した張出し受部15を設けている。
【００２８】
前記型枠部材４は、ほぼ一定厚さの平板状で、構造物１の幅方向に長く、構造物１の長さ方向に短い平面略長方形の形状をなし、構造物幅方向の両端側下面には下段部20を備え、この下段部20が前記上面14に係合載置される。また、型枠部材４には、該型枠部材４の幅方向に連続した骨組構造物である鉄筋トラス21を一体に設けている。尚、この鉄筋トラス21は、型枠部材４の構造物幅方向長さとほぼ同一である。図６に示すように、前記鉄筋トラス21は弦材に鉄筋を用い、上弦材22の下部両側に下弦材23，23を配置し、それら弦材22，23，23は、三角形の頂点の位置にあって、両側の連結斜材24，24により一体に連結され、この連結斜材24は長さ方向の上，下頂点24Ａ，24Ｂが交互に形成された三角波型に屈曲形成されたものであり、上頂点24Ａを上弦材22に抵抗点溶接で溶着し、下頂点24Ｂを下弦材23に抵抗点溶接で溶着してなる。そして、前記両下弦材23，23を前記型枠部材４に埋設すると共に上部を型枠部材４の上部に露出した状態で前記鉄筋トラス21が型枠部材４に一体に設けられている。
【００２９】
また、図２〜図３に示すように、前記型枠部材４には、長さ方向の埋設鉄筋31が幅方向に複数並んで設けられ、これら埋設鉄筋31に縦方向の連結鉄筋32が長さ方向にほぼ等間隔に並んで配置され、それら連結鉄筋32，32…の上部は型枠部材４の上面から上方に突設し、前記連結鉄筋32，32の上部には長さ方向の上部鉄筋33が結合されている。尚、図２においては、前記鉄筋トラス21を図示省略している。
【００３０】
尚、図中41は、現場打ちコンクリートなどにより形成され、幅方向両側の自立脚部12，12間に設けられた底版部41であり、この底版部41及び両側の自立脚部12，12の上には舗装層42が形成される。
【００３１】
前記側壁部材２の上面14には、斜め方向の鉄筋である斜鉄筋51が設けられ、この斜鉄筋51は下部を前記側壁部材２に埋設固定し、前記上面14から斜鉄筋51の上部を構造物の中央側に向けて突出し、その斜鉄筋51の水平方向に対する角度は約４５度である。そして、図２に示すように、斜鉄筋51の上端は前記上部鉄筋33位置まで延設されている。前記側壁部材２には、その幅方向端部の前記載置部４Ａに前記斜鉄筋51を挿通する挿通部たる切欠き部52が形成されている。この例の切欠き部52は、側壁部材２の長さ方向両側にそれぞれ設けられ、幅方向端面４Ｗ及び長さ方向端面２Ｌにそれぞれ開口している。また、この切欠き部52の底部は前記斜鉄筋51に対応して斜めに形成されている。
【００３２】
また、図３（Ｂ）に示すように、前記側壁部材２には、縦方向の鉄筋が複数埋設されており、幅方向内側には縦鉄筋53の上部53Ａが前記上面14より上方に突設され、また、前記側壁部材２の幅方向外側には、縦方向の鉄筋であるフック筋54が設けられ、このフック筋54は、上部54Ａを略逆Ｕ字状に折り返して前記上面14より上方に突設し、両端を前記側壁部材２に埋設してなる。
【００３３】
図３（Ａ）に示すように、前記上部鉄筋33の端部は、前記縦鉄筋53の上部位置まで延設され、さらに、該上部位置から湾曲状の下向きの大湾曲部33Ａが前記フック筋54の外側まで形成され、この大湾曲部33Ａの端部に前記フック筋54の上部54Ａの曲率とほぼ等しい小湾曲部33Ｂを形成し、この小湾曲部33Ｂから前記縦鉄筋53位置まで縦鉄筋53の端部33Ｔが延設され、この端部33Ｔと前記端面４Ｗとの間には間隙が設けられている。尚、前記大湾曲部33Ａと小湾曲部33Ｂと端部33Ｔとは、前記上部鉄筋33を構成する鉄筋の端部側を折り曲げ加工して形成されたものである。そして、前記大湾曲部33Ａはほぼ四分の一円弧（円の四分の一）であり、また、前記小湾曲部33Ｂもほぼ四分の一円弧である。
【００３４】
尚、図中55，56は、側壁部材２に埋設された横鉄筋であり、その横鉄筋55は、フック筋54の両端側と縦鉄筋53とにそれぞれ連結され、その横鉄筋56は、フック筋54の一方の端部と縦鉄筋53とにそれぞれ連結されている。また、57，57，57Ａ，57Ｂは、上面14の上部において前記フック筋54内に配筋される長さ鉄筋であり、上側と内側の前記長さ鉄筋57，57はフック筋54に連結され、外側の前記長さ鉄筋57Ａは、フック筋54と大湾曲部33Ａ側とに連結され、下側の前記長さ鉄筋57Ｂは前記端部33Ｔ側とに連結される。尚、この連結は針金などの結束具による結束や、溶着などを用いることもできる。
【００３５】
次に、前記組立構造体１の施工方法につき説明すると、まず、構造物１の幅に対応して左右に側壁部材２，２を並べ、さらに、その側壁部材２，２を構造物１の長さ方向に連続して並べる。その側壁部材２は自立脚部12を有するため、現場を平坦に均したり、捨てコンクリートなどにより仕上げた箇所に設定すれば、それ自身で安定して自立したものとなる。
【００３６】
次に、図２などに示すように、両側の側壁部材２，２の上部間に型枠部材４を掛け渡し、この型枠部材４を構造物１の長さ方向に隙間なく並べる。この場合、型枠部材４の載置部４Ａに切欠き部52を形成したから、この切欠き部52に斜鉄筋51を挿通する。そして、鉄筋トラス21を設けた型枠部材４は比較的軽量であり、吊り上げ据付作業が容易で、しかも、構造物１が幅広であっても安定した構造のものとなり、該型枠部材４を足場及びコンクリート打設時の型枠に用いることができる。尚、側壁部材２，２間のスパンが大きな場合は、打設コンクリート部５が降下するまで、型枠部材４の途中を支保工などの架設支持体（図示せず）により支持するようにしてもよい。
【００３７】
その型枠部材４を足場として、打設コンクリート部５の配筋作業を行い、上述したように、上部鉄筋33の端部，フック鉄筋54，長さ鉄筋57，57，57Ａ，57Ｂの連結を行い、また、斜鉄筋51の上端側を連結鉄筋32と上部鉄筋33とに連結する。さらに、長さ方向に複数並べた型枠部材４，４…において、上部鉄筋33，33…を長さ鉄筋34により連結する。この場合、上部鉄筋33と連結鉄筋32の連結個所に上部鉄筋33を連結するようにしてもよく、隣り合う型枠部材４，４同士が長さ鉄筋34により一体化される。また、前記長さ鉄筋57，57，57Ａ，57Ｂも長さ方向に並べた複数の型枠部材４，４…に渡って設けられており、隣り合う型枠部材４，４同士を一体化する。尚、前記長さ方向鉄筋34を、長さ方向に隣り合う型枠部材４，４の鉄筋トラス21に連結するようにしてもよい。また、打設コンクリート部５のコンクリートを打設する前に、側壁部材２の外周には打設コンクリート部５の型枠材57を設けておき、打設コンクリート部５のコンクリートが降下したら、側壁部材２から取り外す。
【００３８】
このように型枠部材４を用いて安定的に配筋作業を完了した後、型枠部材４上及び上面14上の現場打ちコンクリートを打設し、打設コンクリート部５を形成し、この打設コンクリート部５に鉄筋トラス21の上部が埋設固定され、該打設コンクリート部５と型枠部材４とが一体化された頂版部３が得られ、かつ打設コンクリート部５内の接合板36及びこれに挿通した長さ方向鉄筋34Ａ等により、側壁部材２と頂版部４との一体化は図られる。また、必要に応じて、底版部41を現場打ちコンクリートにより形成し、この構造物１を盛土や埋設してボックスカルバートとすることができる。
【００３９】
また、頂版部３の施工の前に底版部41を形成するようにしてもよく、この場合、側壁部材２の上面14に型枠部材４の荷重が加わると、自立脚部12は内張出し部12Ｕを長く形成しているから、前記荷重に対して安定し、さらに、内端の下向き段部13が底版部41に上側から係合するため、前記荷重による側壁部材２の回転モーメントに対して一層安定した構造となる。
【００４０】
このようにして構築した構造物１にあっては、型枠部材４と打設コンクリート部５とを組み合わせた頂版部３の構造及びその型枠部材４に設けた骨組構造物たる鉄筋トラス21により、幅広な構造物１として施工面及びコスト面で優れたものとなる。
【００４１】
特に、側壁部材２と型枠部材４との連結個所において、型枠部材４に設けた上部鉄筋33の端部と、側壁部材２に設けたフック筋54とを連結したから、型枠部材４と側壁部材２との連結個所の剛性を効果的に向上し、荷重により発生するモーメントに対して優れた構造を得ることができる。
【００４２】
このように本実施例では、請求項１に対応して、幅方向両側に設けられ下部に自立脚部12を一体に有するプレキャストコンクリート製の側壁部材２と、これら側壁部材２，２の上部間に掛け渡されるプレキャストコンクリート製の型枠部材４と、この型枠部材４と該型枠部材４上にコンクリートを打設して形成された打設コンクリート部５とからなる頂版部３とを備えたコンクリート組立構造体において、側壁部材２と打設コンクリート部５とを挿通する斜鉄筋51を備えるから、まず、現場において、両側の側壁部材２，２を配置し、この側壁部材２は自立脚部12を有するため、設置するだけで安定し、幅方向両側に側壁部材２，２を並べた後、これら側壁部材２，２の上部間に型枠部材４を掛け渡し、この型枠部材４の上にコンクリートを打設し、その型枠部材４を型枠及び足場して用いることができるから、現場で型枠を組んだり足場を設けたりする必要がなく、かつプレキャスト製の型枠部材４と現場打ちコンクリートの合成部材からなる強度的に優れた頂版部３を備え、比較的幅広な構造に適した組立構造物１を得ることができる。特に、側壁部材２と打設コンクリート部５とを挿通する斜鉄筋51により、側壁部材２と頂版部３とを強固に一体化することができる。
【００４３】
また、このように本実施例では、請求項２に対応して、型枠部材４の端面に、斜鉄筋51に対応して挿通部たる切欠き部52を形成したから、予め、側壁部材２の上面14に斜鉄筋51を挿通固定しておき、幅方向両側に側壁部材２を並べた後、これら側壁部材２，２の上部間に型枠部材４を掛け渡たす際、予め形成された切欠き部に鉄筋を挿通して側壁部材２に型枠部材４を掛け渡すことができる。
【００４４】
また、このように本実施例では、請求項３に対応して、挿通部たる切欠き部52が型枠部材４の端面４Ｗ，４Ｌに開口するから、斜鉄筋51を挿通する必要がなく、斜鉄筋51位置に切欠き部52を合わせることにより、簡便に側壁部材２の上に型枠部材４を掛け渡すことができる。
【００４５】
また、このように本実施例では、請求項４に対応して、側壁部材２の上面14にフック筋54を設け、このフック筋54は折り返し部を上にすると共に両端側を該側壁部材２に埋設したから、側壁部材２に埋設したフック筋54が打設コンクリート部５に埋設されることにより、側壁部材２と打設コンクリート部５とを効果的に一体化することができる。
【００４６】
また、このように本実施例では、請求項６に対応して、側壁部材２の上面14から突出した鉄筋たるフック筋54及び縦鉄筋53と、型枠部材４の鉄筋たる上部鉄筋33とを連結したから、側壁部材２のフック筋54及び縦鉄筋53と型枠部材４の上部鉄筋33とを連結することにより、両者の接合高度が向上する。
【００４７】
また、このように本実施例では、請求項７に対応して、側壁部材２の上面14にフック筋54を設け、このフック筋54は折り返し部たる上部54Ａを上にすると共に両端側を該側壁部材２に埋設し、フック筋54と型枠部材２の鉄筋たる上部鉄筋33とを連結したから、側壁部材２のフック筋54と型枠部材４の上部鉄筋33を連結することにより、両者の接合高度が向上する。
【００４８】
また、実施例上の効果として、型枠部材４に骨組構造物たる鉄筋トラス21を設けたから、骨組構造物により両端支持梁として型枠部材４の性能が向上し、両側壁部材２，２の間が広い、幅広な構造体１を得ることができる。また、前記骨組構造物が鉄筋トラス21であり、該鉄筋トラス21の一部が型枠部材４の上部に出ているから、型枠部材４が両端支持梁として長いスパンに対応可能となり、また、鉄筋トラス21の一部が打設コンクリート部５内に埋設されるから、型枠部材４と打設コンクリート部５との一体化が図られる。
【００４９】
また、実施例上の効果として、鉄筋トラス21として上弦材22と下弦材23，23を２つ備えたものを用いたから、型枠部材４の曲げモーメントに対する強度を効率良く向上することができ、幅広な構造物への対応が可能となる。また、現場で配筋する鉄筋34を鉄筋トラス21に係合したから、型枠部材４と打設コンクリート部５との一体化が図られる。
【実施例２】
【００５０】
図７は本発明の第２実施例を示し、上記第１実施例と同一部分に同一符号を付し、その詳細な説明を省略して詳述すると、この例は骨組構造物の変形例であり、図７に示すように、この例の鉄筋トラス21Ａは、下弦材23を１本にしたものであり、この下弦材23を型枠部材４に埋設すると共に、上部を型枠部材４の上部に露出して設けられ、1つの型枠部材４に鉄筋トラス21Ａが構造物１の長さ方向に間隔を置いてほぼ平行に複数設けられ、鉄筋トラス21Ａを設けることにより幅広な構造物１に適したものになる。
【実施例３】
【００５１】
図８〜図１０は本発明の第３実施例を示し、上記第１実施例と同一部分に同一符号を付し、その詳細な説明を省略して詳述すると、この例では、フック筋を用いる代わりにゲビンデ継手を用いている。また、前記上部鉄筋33には前記大湾曲部33Ａが設けられ、この大湾曲部33Ａが端部であり、前記側壁部材２の幅方向内，外側に、縦方向の鉄筋である前記縦鉄筋53，53がそれぞれ設けらえれ、外側の縦鉄筋53と前記大湾曲部33Ａとが連結される。
【００５２】
前記ゲビンデ継手は、高張力鋼材などからなる鋼材61を備え、この鋼材61は外周全長にネジ部を設けたものであり、上下に定着部62，62を設け、この定着部62には、定着板63と、これを上下から挟んで鋼材61に螺合したナット体64，64とを備え、上部の定着部62は定着板63が打設コンクリート部５に埋設される位置であり、下部の定着部62は側壁材２に埋設される位置で、好ましくは図８に示すように、自立脚部12に埋設される位置に設けられる。尚、側壁部材２に埋設した鋼材61には、緊張力を付与しておらず、また、打設コンクリート部５に上部を埋設した後も、該鋼材61には緊張力を付与しない。
【００５３】
そして、上記実施例と同様に打設コンクリート部５を形成し、側壁部材２と頂版部３とは、上部鉄筋33と縦鉄筋53，53との連結により一体化され、特にこの例では、ゲビンデ継手を用い、鋼材61に緊張力を付与しなかったから、側壁部材２と頂版部３との連結個所を引き離す力が加わると、鋼材61の引張応力が効果的に働くため、連結個所の剛性を高めることができる。
【００５４】
このように本実施例では、請求項１〜３及び６に対応して、上記実施例と同様な作用・効果を奏する。
【００５５】
また、このように本実施例では、請求項５に対応して、側壁部材２内と打設コンクリート部５内とにそれぞれ定着板63を設け、それら定着板63，63に両端側を定着した鋼材61を備え、この鋼材61には緊張力が付与されていないから、側壁部材２と頂版部材３との連結箇所に開く力が加わると、鋼材61には緊張力が付与されていないから、該鋼材61の引張応力が有効に作用するため、連結箇所での接合強度を高めることができる。
【実施例４】
【００５６】
図１１は本発明の第４実施例を示し、上記各実施例と同一部分に同一符号を付し、その詳細な説明を省略して詳述すると、この例では、斜鉄筋51が長さ方向に隣り合う型枠部材４，４の突き合せ箇所４Ｍに位置し、該斜鉄筋51に対応して、型枠部材４，４に切欠き部52，52を形成している。また、前記突き合せ箇所４Ｍ，４Ｍの間に、長さ方向に隣り合う前記側壁部材２，２の突き合せ箇所２Ｍを配置する。
【００５７】
このように本実施例では、斜鉄筋51が長さ方向に隣り合う型枠部材４，４の突合せ箇所４Ｍにほぼ位置するから、側壁部材２への型枠部材４の掛け渡し作業を簡便に行うことができる。
【実施例５】
【００５８】
図１２は本発明の第５実施例を示し、上記各実施例と同一部分に同一符号を付し、その詳細な説明を省略して詳述すると、この例では、切欠き部52は、型枠部材４の長さ方向中央側に位置し、該切欠き部52は、端面４Ｗのみが開口している。
【００５９】
このように端面４Ｗが開口する切欠き部52を形成することにより、斜鉄筋51を孔に挿通する場合より簡単に施工を行うことができる。
【実施例６】
【００６０】
図１３は本発明の第６実施例を示し、上記各実施例と同一部分に同一符号を付し、その詳細な説明を省略して詳述すると、この例では、第１実施例で示した組立構造体１において、型枠材59にプレキャストコンクリート版60を用いている。したがって、型枠材59は耐久性を備えるから、コンクリート打設後も、側壁部材２に固定したままで、取り外す必要がない。もちろん取り外しても良いことは言うまでもない。
【実施例７】
【００６１】
図１４は本発明の第７実施例を示し、上記各実施例と同一部分に同一符号を付し、その詳細な説明を省略して詳述すると、この例では、第３実施例で示した組立構造体１において、型枠材59にプレキャストコンクリート版60を用いている。したがって、型枠材59は耐久性を備えるから、コンクリート打設後も、側壁部材２に固定したままで、取り外す必要がない。もちろん取り外しても良いことは言うまでもない。
【００６２】
尚、本発明は上記実施形態に限定されるものではなく、本発明の要旨の範囲内において、種々の変形実施が可能である。例えば、鉄筋の数や配置は適宜選定可能である。また、骨組構造物には、鉄筋トラス以外に、フラットバー等を用いてトラスにしたものでもよい。
【図面の簡単な説明】
【００６３】
【図１】本発明の第１実施例を示す組立構造体の断面図である。
【図２】同上、擁壁部材と型枠部材の連結箇所の断面図である。
【図３】同上、断面図であり、図３（Ａ）は型枠部材の端部の断面図、図３（Ｂ）は擁壁部材の上部の断面図である。
【図４】同上、型枠部材の端部の平面図である。
【図５】同上、図４のＡ−Ａ線断面図である。
【図６】同上、骨組構造物の斜視図である。
【図７】本発明の第２実施形態を示す骨組構造物の斜視図である。
【図８】本発明の第３実施例を示す組立構造体の断面図である。
【図９】同上、擁壁部材と型枠部材の連結箇所の断面図である。
【図１０】同上、断面図であり、図１０（Ａ）は型枠部材の端部の断面図、図１０（Ｂ）は擁壁部材の上部の断面図である。
【図１１】本発明の第４実施例を示す擁壁部材と型枠部材の連結箇所の平面説明図である。
【図１２】本発明の第５実施例を示す型枠部材の端部の断面図である。
【図１３】本発明の第６実施例を示す擁壁部材と型枠部材の連結箇所の断面図である。
【図１４】本発明の第７実施例を示す擁壁部材と型枠部材の連結箇所の断面図である。
【符号の説明】
【００６４】
１  組立構造体
２  側壁部材
３  頂版部
４  型枠部材
５  打設コンクリート部
14  上面
33  上部鉄筋
51  斜鉄筋
52  切欠き部（挿通部）
53  縦鉄筋
54  フック筋
54Ａ  上部（折り返し部）
61  鋼材
63  定着板
【図１】
2005061127.tif 000003
【図２】
2005061127.tif 000004
【図３】
2005061127.tif 000005
【図４】
2005061127.tif 000006
【図５】
2005061127.tif 000007
【図６】
2005061127.tif 000008
【図７】
2005061127.tif 000009
【図８】
2005061127.tif 000010
【図９】
2005061127.tif 000011
【図１０】
2005061127.tif 000012
【図１１】
2005061127.tif 000013
【図１２】
2005061127.tif 000014
【図１３】
2005061127.tif 000015
【図１４】
2005061127.tif 000016